(57)【要約】【課題】有機ＥＬ発光体が受ける例えば風圧による動き（揺らぎ）に応じて、有機ＥＬ発光体の発光状態が変化するように構成したイルミネーション装置を提供する。【解決手段】可撓性の支持体１を介して揺動可能に支持された有機ＥＬ発光体２と、前記可撓性の支持体１の湾曲状態に応じて電気特性が変化する変位センサー３と、前記変位センサー３の電気特性に応じて前記有機ＥＬ発光体の発光状態を変化させる制御ドライバーとを備えられる。前記有機ＥＬ発光体２は風圧などの外部応力を受けて揺らぐと共に、揺らぎに同期してその発光状態が変化するので、心理的に癒しの効果を与えると共に、見飽きることのないイルミネーション装置を提供することができる。【選択図】図１
2015084287.tif 000002
【特許請求の範囲】
【請求項１】
一端部が基体に取り付けられる可撓性支持体と、前記可撓性支持体の他端部に配置され当該支持体を介して前記基体に対して揺動可能に支持された有機ＥＬ発光体と、前記支持体の湾曲状態に応じて電気特性が変化する変位センサーと、前記変位センサーの電気特性に応じて前記有機ＥＬ発光体の発光状態を変化させる制御ドライバーとを備えたことを特徴とする有機ＥＬイルミネーション装置。
【請求項２】
前記有機ＥＬ発光体は、前記変位センサーの電気特性に応じて、発光量、発光色、もしくは点灯パターンが変化されるように構成したことを特徴とする請求項１に記載された有機ＥＬイルミネーション装置。
【請求項３】
前記変位センサーは、前記支持体の長手方向に沿って支持体に取り付けられ、前記支持体の湾曲状態に応じて抵抗値が変化する曲げセンサーであることを特徴とする請求項１または請求項２に記載された有機ＥＬイルミネーション装置。
【請求項４】
前記可撓性支持体は、前記有機ＥＬ発光体に対して発光駆動電流を供給する導体配線が施されたフレキシブルプリント基板であることを特徴とする請求項１ないし請求項３のいずれか１項に記載された有機ＥＬイルミネーション装置。
【請求項５】
前記有機ＥＬ発光体を形成する基板に、ガスバリア性を有するバリアフィルムを用いたことを特徴とする請求項１ないし請求項４のいずれか１項に記載された有機ＥＬイルミネーション装置。
【請求項６】
前記制御ドライバーから前記有機ＥＬ発光体に与えられる有機ＥＬ発光体の発光制御信号は、ＰＷＭ信号であることを特徴とする請求項１ないし請求項５のいずれか１項に記載された有機ＥＬイルミネーション装置。
【発明の詳細な説明】
【技術分野】
【０００１】
この発明は、可撓性の支持体を介して有機ＥＬ発光体が揺動可能に支持された有機ＥＬイルミネーション装置に関し、特に風圧などの外部応力を受けた際の前記有機ＥＬ発光体の揺らぎに応じて、前記発光体の発光状態が変化するように構成した有機ＥＬイルミネーション装置に関する。
【背景技術】
【０００２】
店舗やイベント会場などにおいては、人目を引くために種々のイルミネーション装置が使用されている。これらにはＬＥＤや有機ＥＬ発光体などが所定のレイアウトに沿って多数配列され、これらの点灯および消灯の制御等で様々なデザイン感覚を醸し出すものが提案されている。（例えば、特許文献１、特許文献２参照。）
【０００３】
また、造花や植物を模した樹木構造体に、ＬＥＤなどの発光素子を加えて審美的な効果を高めたイルミネーション装置（例えば、特許文献３参照。）や、ＬＥＤなどの発光素子を放射状に配列して、中央部側から外側に向かって発光素子を順次点灯させる花火を模したイルミネーション装置（例えば、特許文献４参照。）など、多種多様のイルミネーション装置についての提案がなされている。
【先行技術文献】
【特許文献】
【０００４】
【特許文献１】特開２００３−１６８３５号公報
【特許文献２】特開２０１０−９２６００号公報
【特許文献３】特開２００６−５６１０５号公報
【特許文献４】特開２００４−８２４５４号公報
【発明の概要】
【発明が解決しようとする課題】
【０００５】
ところで、前記した各イルミネーション装置においては、ＬＥＤなどの発光素子を立体形状に配列したり、各種パターンの点灯制御がなされるなどの工夫が施されているものの、いずれにしてもＬＥＤなどの発光素子は予め定められた位置に固定されて配置され、これらが時間経過に沿って予めプログラミングされた点灯制御がなされる点にとどまるものである。
したがって、ＬＥＤなどの発光素子の点灯パターンが画一的で、単純であるために演出効果に乏しく、短時間で飽きられ易いという問題点を抱えている。
【０００６】
この発明は、前記した従来のイルミネーション装置の問題点に着目してなされたものであり、有機ＥＬ発光体を利用して、この有機ＥＬ発光体が受ける例えば風圧による動き（揺らぎ）に応じて、有機ＥＬ発光体の発光状態が変化するように構成することで、心理的に癒しの効果を与えると共に、見飽きることのないイルミネーション装置を提供することを課題とするものである。
【課題を解決するための手段】
【０００７】
前記した課題を達成するためになされたこの発明に係る有機ＥＬイルミネーション装置は、一端部が基体に取り付けられる可撓性支持体と、前記可撓性支持体の他端部に配置され当該支持体を介して前記基体に対して揺動可能に支持された有機ＥＬ発光体と、前記支持体の湾曲状態に応じて電気特性が変化する変位センサーと、前記変位センサーの電気特性に応じて前記有機ＥＬ発光体の発光状態を変化させる制御ドライバーとを備えたことを特徴とする。
【０００８】
この場合、前記有機ＥＬ発光体は、前記変位センサーの電気特性に応じて、発光量、発光色、もしくは点灯パターンが変化されるように構成される。
また好ましくは、前記変位センサーは、前記可撓性支持体の長手方向に沿って可撓性支持体に取り付けられ、前記可撓性支持体の湾曲状態に応じて抵抗値が変化する曲げセンサーが用いられる。
【０００９】
加えて前記可撓性支持体は、前記有機ＥＬ発光体に対して発光駆動電流を供給する導体配線が施されたフレキシブルプリント基板であることが望ましく、また前記有機ＥＬ発光体を形成する基板は、ガスバリア性を有するバリアフィルムを用いることが望ましい。
【００１０】
さらに、前記制御ドライバーから前記有機ＥＬ発光体に与えられる有機ＥＬ発光体の発光制御信号として、ＰＷＭ信号を好適に用いることができる。
【発明の効果】
【００１１】
前記したこの発明にかかる有機ＥＬイルミネーション装置によると、一端部が基体に取り付けられた可撓性支持体の他端部に有機ＥＬ発光体が配置された構成が採用され、例えば風圧などの外部応力を受けた際の前記有機ＥＬ発光体の揺らぎに応じて、有機ＥＬ発光体の発光状態が変化するように作用する。
【００１２】
すなわち、前記有機ＥＬ発光体の揺らぎの状態は変位センサーにより関知することができ、当該変位センサーの出力に応じて有機ＥＬ発光体は、その発光量、発光色、もしくは点灯パターンなどが変化するように制御される。
したがって、有機ＥＬ発光体は風圧などの外部応力を受けて揺らぐと共に、揺らぎに同期してその発光状態が変化するので、心理的に癒しの効果を与えると共に、見飽きることのないイルミネーション装置を提供することができる。
【図面の簡単な説明】
【００１３】
【図１】この発明に係る有機ＥＬイルミネーション装置の第１の形態を示した模式図である。
【図２】この発明に係る有機ＥＬイルミネーション装置の第２の形態を示した写真である。
【図３】一対の有機ＥＬ発光体と可撓性支持体の構成を示した斜視図である。
【図４】有機ＥＬ発光体と可撓性支持体の単体構成を示した斜視図である。
【図５】図４に示す単体構成の分解斜視図である。
【図６】変位センサーと制御ドライバーの制御態様を示すブロック図である。
【図７】制御ドライバー内での演算処理を説明するフローチャートである。
【図８】この発明において利用されるＰＷＭ信号の波高値とパルス幅の関係を説明する信号波形図である。
【発明を実施するための形態】
【００１４】
この発明に係る有機ＥＬイルミネーション装置について、図に示す実施の形態に基づいて説明する。
図１は、有機ＥＬイルミネーション装置の第１の形態を示したものであり、この図１に示すイルミネーション装置は、面が垂直となるように立設された円盤状基体１１の前面に、長尺状に形成された可撓性支持体１を介して有機ＥＬ発光体２が取り付けられている。
すなわち、円盤状の前記基体１１の中央部よりも若干上部寄りの位置において、一対の可撓性支持体１のそれぞれの一端部が取り付けられ、その他端部は左右にＶ字状に分かれて、それぞれの先端部に円盤状に形成された有機ＥＬ発光体２が取り付けられている。
【００１５】
この実施の形態において円盤状に形成された有機ＥＬ発光体２は、いわゆるサクランボの実をイメージしたものであり、有機ＥＬ発光体２を支持する長尺状の可撓性支持体１は、サクランボの茎をイメージしたものとなる。
したがって、有機ＥＬ発光体（サクランボの実）２は、可撓性支持体（サクランボの茎）１を介して基体１１の前面において揺動可能に取り付けられている。
【００１６】
加えて、前記一対の可撓性支持体１にそれぞれ沿うようにして、長尺状に形成された変位センサー（曲げセンサー）３が取り付けられており、この変位センサー３によって可撓性支持体１の曲がり度合いを関知するように構成されている。
なお、以下においては前記した可撓性支持体１、有機ＥＬ発光体２および変位センサー３の組み合わせを発光ユニットＵ１とも言う。
そして、図１に示すように前記した発光ユニットＵ１を前面に支持する円盤状の基体１１は、台座１２に対して垂直に取り付けられた板状の支持部材１３の頂端部に取り付けられている。
【００１７】
図２は、この発明に係る有機ＥＬイルミネーション装置の第２の形態を写真で示したものである。
この図２に示す例においては、第１の形態において用いた基体１１に比較して、より大径になされた円盤状の基体が用いられ、この円盤状の基体の前面に、前記したサクランボをイメージする一対の発光ユニットが多数配列された状態で取り付けられている。
この第２の形態によると、前記多数の発光ユニットは、例えば風圧などの外部応力を受けることにより、可撓性支持体の先端部に取り付けられた各有機ＥＬ発光体が波が打つようにして揺動することになる。
【００１８】
図３〜図５は、前記した発光ユニットＵ１の具体的な構成を示したものである。
すなわち、図３は一対の発光ユニットＵ１を備えてサクランボをイメージした形態を示しており、図４は発光ユニットＵ１の単体構成を示し、さらに図５は発光ユニットＵ１を構成する各部材の単位に分解した状態で示している。
【００１９】
図３に示すように一対の発光ユニットＵ１は、コネクタを兼ねる連結部材４を中央にして、一対の可撓性支持体１がＶ字状となるように連結部材４に取り付けられている。
そして、図１に基づいてすでに説明したとおり、Ｖ字状に分かれた可撓性支持体１の先端部には、円盤状に形成された有機ＥＬ発光体２がそれぞれ取り付けられており、さらに可撓性支持体１のそれぞれ沿つて、長尺状に形成された変位センサー（曲げセンサー）３が取り付けられている。
【００２０】
前記可撓性支持体１は、フレキシブルプリント基板により構成されており、このフレキシブルプリント基板に施された図示せぬ導体配線を利用して、前記コネクタを兼ねる連結部材４から、可撓性支持体１の先端部に取り付けられた有機ＥＬ発光体２に対して、発光駆動電流を供給するように構成されている。
【００２１】
また有機ＥＬ発光体２は、例えば可撓性の樹脂フィルムを基板として、この基板上にＩＴＯなどの透明電極をベタ電極として成膜し、この透明電極上に有機材料による発光機能層を形成すると共に、当該発光機能層上に背面電極をベタ電極として形成した構成が採用される。
そして、前記透明電極、発光機能層、背面電極からなる有機ＥＬ素子は、前記基板を構成する樹脂フィルムの周囲において接合される封止部材により、その背面側が封止された状態になされる。
【００２２】
なお、前記した有機ＥＬ発光体２を構成する発光機能層および背面電極は、大気中の水分および酸素等から隔離することが望ましく、したがって基板を構成する前記した可撓性の樹脂フィルムおよび前記封止部材には、ガスバリア性の大きな素材を用いることが望ましい。
【００２３】
この実施の形態において好適に利用し得るガスバリア性の大きな可撓性の樹脂フィルムとしては、無機酸化物膜や金属膜が成膜された樹脂フィルムを挙げられる。無機酸化物膜としては、酸化珪素、窒化酸化珪素、窒化珪素、酸化チタン等が挙げられ、金属膜としてはアルミニウム、銅などが挙げられる。樹脂フィルムの基材としては、ポリエチレンテレフタレート（PET）、ポリエチレンナフタレート（PEN）、ポリカーボネート（PC）、シクロオレフィンポリマー（COP）、トリアセチルセルロースフィルム（TAC）などの一般的なフィルムを挙げることができる。
【００２４】
また、この実施の形態において好適に利用し得るガスバリア性の大きな封止部材としては、同様に無機酸化物膜や金属膜が成膜された樹脂フィルムを挙げられる。無機酸化物膜としては、酸化珪素、窒化酸化珪素、窒化珪素、酸化チタン等が挙げられ、金属膜としてはアルミニウム、銅などが挙げられる。樹脂フィルムの基材としては、ポリエチレンテレフタレート（PET）、ポリエチレンナフタレート（PEN）、ポリカーボネート（PC）、シクロオレフィンポリマー（COP）、トリアセチルセルロースフィルム（TAC）などの一般的なフィルムを挙げることができる。
【００２５】
一方、前記可撓性支持体１の長手方向に沿って取り付けられる変位センサー３は、好ましくは変位センサー３の湾曲度合いに応じて抵抗値が変化するように作用するものが採用される。その一例として例えばＳｐｅｃｔｒａＳｙｍｂｏｌ社（米国）おいて、商品名“ＦｌｅｘＳｅｎｓｏｒ”として提供されているものを好適に利用することができる。
【００２６】
この変位センサーの１つのスペックによると、変位センサーがフラットの状態で抵抗値が２５ＫΩのところ、曲げ度合いに応じて最大１２５ＫΩの抵抗値の変化特性を得ることができる。したがって、この変位センサー３と他の固定抵抗とを直列に接続して分圧電圧を得ることで、前記した可撓性支持体１の湾曲状態を感度よく電圧値として捕らえることができる。
なお、前記した変位センサー３の抵抗出力端子は、図示していないが前記したコネクタを兼ねる連結部材４を介して導出するように構成される。
【００２７】
図６は、前記した変位センサー３の電気特性に応じて、有機ＥＬ発光体２の発光状態を変化させる制御ドライバーの機能的な構成を示すものである。
この制御ドライバーは、図６に示すように電圧もしくは電流増幅器６、ＭＰＵ（マイクロプロセッサユニット）７、ドライバー回路８より構成されている。
前記変位センサー３の抵抗値は、前記したとおり分圧電圧の情報で得るようになされ、この分圧電圧は増幅器６において例えば電流増幅されて、ＭＰＵ７に供給される。
【００２８】
ＭＰＵ７においては、増幅器６から受けるアナログ情報をＡ／Ｄ変換器７ａによりデジタル情報に変換して、演算処理部７ｂにおいて演算処理がなされる。なお、この演算処理部７ｂにおいてなされる演算処理の一例については、図７に基づいて後述する。
そして、演算処理部７ｂより出力されるデジタルデータ信号は、Ｄ／Ａ変換器７ｃによりアナログ情報に変換され、ドライバー回路８に供給される。
この実施の形態においては、前記ドライバー回路８は、ＭＰＵ７からのアナログ情報に基づいてＰＷＭ信号を生成し、有機ＥＬ発光体２の発光制御信号として、前記ＰＷＭ信号が供給されるように構成されている。
【００２９】
図７は、図６に示したＭＰＵ７の演算処理部７ｂにおける処理態様を説明するフローチャートである。なおこのフローチャートは、前記した変位センサー３からの情報に基づいて、有機ＥＬ発光体２の調光値（輝度）制御を行う例を示している。
図６に示す演算処理部７ｂは、ステップＳ１において、前記Ａ／Ｄ変換器７ａからのＡ／Ｄ入力、すなわち前記した変位センサー３からの情報を取得する。変位センサー３からのデジタル情報は、ステップＳ２において平均化演算がなされ、この平均化演算によりデジタル処理に際しての雑音成分の除去動作がなされる。
【００３０】
続いて平均化演算がなされた情報に基づいて、ステップＳ３において、調光値テーブルの読み出し動作がなされる。すなわち、このステップＳ３においては、前記した変位センサー３により得られた情報に対応した制御データを、図示せぬルックアップテーブルから読み出す動作がなされる。そしてステップＳ４においては、前記したルックアップテーブルから読み出されたデータを、前記したドライバー回路８に出力する動作が実行される。
【００３１】
なお、図７に示す処理ルーチンは、前記したステップＳ１〜Ｓ４の動作が繰り返されて、リアルタイムに調光動作がなされるが、その一巡の最終ステップにおいて、ステップＳ５に示す時間待ちの処理が挿入されて、調光動作のタイミングが調整される。
【００３２】
なお、図６および図７に基づいて説明した制御ドライバーは、例えば図３に示すコネクタを兼ねる連結部材４内に収容することができる。また制御ドライバーは、図１および図２に示すように、発光ユニットＵ１を基体１１の前面に取り付けた状態において、基体１１の背面の適宜の位置に配置することもできる。
【００３３】
以上説明した有機ＥＬイルミネーション装置においては、いわゆるサクランボの実をイメージした有機ＥＬ発光体２が用いられており、この有機ＥＬ発光体２において特に赤色を鮮やかに発光させるためには、次に示す素子構造を採用することが推奨される。
ＩＴＯ（３１０）／ＭｏＯ３（５）／ＮＳ２１（４７）／ＢＡｌｑ：ｌｒ（ｐｉｑ）３（３０）１０．０ｗｔ％／ＤＰＢ：Ｌｉｑ（６３）２５ｗｔ％／Ａｌ（１．５）／ＭｏＯ３（５）／ＮＳ２１（８３）／ＢＡｌｑ：ｌｒ（ｐｉｑ）３（３０）１０．０ｗｔ％／ＤＰＢ：Ｌｉｑ（６３）２５ｗｔ％／Ａｌ（６０）
【００３４】
前記した素子構造を採用した有機ＥＬイルミネーション装置においては、好ましい一例として、可撓性支持体１に取り付けられた変位センサー３の状態と、有機ＥＬ発光体２に加えるＰＷＭ信号との関係が次のように設定される。
すなわち、前記した可撓性支持体１に取り付けられた変位センサー３の湾曲度合い（曲がり度合い）が小さい場合には、有機ＥＬ発光体２に加える発光制御信号としてのＰＷＭ信号のパルス幅が大きくなるように制御し、変位センサー３の湾曲度合いが大きい場合には、有機ＥＬ発光体２に加える発光制御信号としてのＰＷＭ信号のパルス幅が小さく、もしくはＰＷＭ信号の出力が停止されるように制御する。
【００３５】
前記した制御態様によると、有機ＥＬ発光体２を支持する可撓性支持体１、すなわち変位センサー３の撓みが少ない場合には、赤色発光する有機ＥＬ発光体２の発光量（発光輝度）は大きくなされ、逆に前記可撓性支持体１（変位センサー３）の撓みが大きい場合には、有機ＥＬ発光体２の発光量は小さく、もしくは消灯されるように制御される。
この変位センサー３の撓みの度合いと、有機ＥＬ発光体２の発光量および点灯パターンとの相関関係は、前記したＭＰＵ７の演算処理部７ｂにおけるルックアップテーブルへの設定値に基づいて任意に変更することができる。
【００３６】
以上は、赤色光が発光される有機ＥＬ発光体２を利用した例について説明したが、有機ＥＬ発光体の電極間に印加される直流電圧値に応じて、異なる発光色が放射される素子構造も知られている。この発明に係る有機ＥＬイルミネーション装置は、斯様な素子構造も好適に採用し得る。
【００３７】
前記したように、電極間に印加される直流電圧値に応じて、異なる発光色が放射される有機ＥＬ素子として、次に示す素子構造を採用することが推奨される。
ＩＴＯ／ＰＥＤＯＴ（５０ｎｍ）／ＮＰＢ（３０ｎｍ）／ＮＰＤ：Ｅｕ２０ｗｔ％（３０ｎｍ）／ＢＣＰ（２０ｎｍ）／Ａｌｑ３（１０ｎｍ）／ＬｉＦ（０．５ｎｍ）／Ａｌ
【００３８】
前記した素子構造については、Ｗ．Ｘ．Ｌｉ  ｅｔ  ａｌ．“Ｃｏｌｏｒ  ｔｕｎａｂｌｅ  ｏｒｇａｎｉｃ  ｌｉｇｈｔ  ｅｍｉｔｔｉｎｇ  ｄｉｏｄｅ  ｕｓｉｎｇ  Ｅｕ  ｃｏｍｐｌｅｘ  ｄｏｐｉｎｇ”，ＳＯＬＩＤ−ＳＴＡＴＥ  ＥＬＥＣＴＲＯＮＩＣＳ、Ｖｏｌ．５１、２００７、ｐｐ．５００−５０４に開示されている。
【００３９】
前記した素子構造による有機ＥＬ発光体によると、電極間に印加される直流電圧値を、８Ｖ〜１８Ｖの範囲で変化させた場合、赤から青にわたって連続的に変化する発光色を得ることができる旨、開示されている。
【００４０】
したがって、前記した素子構造を採用した有機ＥＬ発光体２において、これに加えるＰＷＭ信号の波高値を選択もしくは変化させることにより、有機ＥＬ発光体２の発光色を選択もしくは連続的に変化させることができる。
ただし、所望の発光色を選択するには、有機ＥＬ発光体に加えるＰＷＭ信号の波高値を制御することになるため、必然的に有機ＥＬ発光体２の発光輝度も変化することになる。したがって、発光輝度を変えることなく所望の発光色を選択しようとした場合、ＰＷＭ信号の波高値の選択と共に、適正なパルス幅を選択する必要がある。
【００４１】
図８は、ＰＷＭ信号の波高値とパルス幅との相関関係について説明するものである。
有機ＥＬ発光体の発光色を選択するために、例えば（Ａ）に示すように、波高値が１８ＶのＰＷＭ信号を有機ＥＬ発光体２に加える場合に対して、（Ｂ）および（Ｃ）に示すように波高値が１２Ｖおよび８ＶのＰＷＭ信号を加える場合においては、（Ｂ）および（Ｃ）においては、発光輝度を調整するために、それぞれのパルス幅を順次広く設定する制御が必要となる。
【００４２】
すなわち、単位時間あたりの波高値とパルス幅の積がほぼ一定となるように制御されることになる。ただしこれは、人間が認識する色に対する視感度は無視すると共に、有機ＥＬ発光体２における各色ごとの発光効率が異なる点についても無視した一般論で説明している。
【００４３】
したがって、波高値が１８ＶのＰＷＭ信号を利用して青色を発光させる場合において、さらにその輝度を変化させるには、例えば図８（Ａ）で左右に示す範囲のパルス幅の変化を加えるように制御されることになる。
また、波高値が１２ＶのＰＷＭ信号を利用して紫色を発光させる場合において、その輝度を変化させるには、例えば図８（Ｂ）で左右に示す範囲のパルス幅の変化を加えるように制御されることになる。
同様に波高値が８ＶのＰＷＭ信号を利用して赤色を発光させる場合において、その輝度を変化させるには、例えば図８（Ｃ）で左右に示す範囲のパルス幅の変化を加えるように制御されることになる。
【００４４】
したがって、前記した変位センサー３の撓みの度合いに応じて、有機ＥＬ発光体２の発光色を変化させようとした場合、有機ＥＬ発光体２に加えるＰＷＭ信号の波高値とパルス幅との一対のデータを記述したルックアップテーブルを、前記したＭＰＵ７の演算処理部７ｂに持たせる必要がある。
これに加えて、有機ＥＬ発光体２の発光輝度も制御する場合には、有機ＥＬ発光体２に加えるＰＷＭ信号の波高値とパルス幅の一対のデータを、さらに二次元に展開して記述したルックアップテーブルを利用して前記一対のデータを読み出し、これに基づいて作成したＰＷＭ信号を有機ＥＬ発光体２に供給するように構成することになる。
【００４５】
以上の説明で明らかなとおり、この発明に係る有機ＥＬイルミネーション装置によると、有機ＥＬ発光体は例えば風圧などの外部応力を受けて揺らぐと共に、揺らぎに同期してその発光状態が変化する。
したがって、冒頭において記載した従来の装置においては期待することができない前記した発明の効果の欄に記載したとおりの作用効果を発揮するイルミネーション装置を提供することができる。
【００４６】
なお、以上の説明は大気中における有機ＥＬイルミネーション装置を対象として、風圧などの外部応力を受けて揺動する有機ＥＬ発光体の発光動作について説明したが、この発明に係る有機ＥＬイルミネーション装置は、大気中のみならず例えば水中やその他の媒体中に配置しても同様の作用効果を得ることができる。
この場合には、前記した有機ＥＬイルミネーション装置の主要部について、適宜の防水加工等を施すことが必要となる。
【符号の説明】
【００４７】
１    可撓性支持体
２    有機ＥＬ発光体
３    変位センサー（曲げセンサー）
４    連結部材（コネクタ）
６    増幅器
７    ＭＰＵ
７ａ  Ａ／Ｄ変換器
７ｂ  演算処理部
７ｃ  Ｄ／Ａ変換器
８    ドライバー回路
１１  基体
１２  台座
１３  支持部材
Ｕ１  発光ユニット
【図１】
2015084287.tif 000003
【図３】
2015084287.tif 000004
【図４】
2015084287.tif 000005
【図５】
2015084287.tif 000006
【図６】
2015084287.tif 000007
【図７】
2015084287.tif 000008
【図８】
2015084287.tif 000009
【図２】
2015084287.tif 000010